(57)【要約】【課題】２画面表示時に発生する水平方向クロストークが解消され、表示画質が優れた液晶２画面表示装置を提供すること。【解決手段】本発明の液晶２画面表示装置で使用する信号処理回路１０は、予め求められた入力データ値に基づく横方向に隣接する画素間の階調差に起因する輝度変化量に対応する補正データが格納されたルックアップデータテーブルＬＵＴと、第１の画像のデータと第２の画像のデータを合成して２画面データを作成する際に、現在の画素データとその右隣の画素データに基づいて前記ルックアップデータテーブルＬＵＴから補正データを求め、前記補正データに基づいて前記現在の画素データを補正して補正後の現在の画素データを求めるデータ補正操作を全ての画素データに対し行うクロストーク補正ブロック１２を備えていることを特徴とする。【選択図】  図１
2008020574.tif 000002
【特許請求の範囲】
【請求項１】
第１の画像を表示する第１の画素列と第２の画像を表示する第２の画素列とがブラックマトリクスを介して交互に配置されてなる液晶表示パネルと、前記液晶表示パネルの上方に配置され、前記第１の画素列及び第２の画素列に対して平行に交互に延びる遮光部及び開口部を備えた遮光板と、信号処理回路とを備え、第１の観察領域に前記第１の画像を提供し、第２の観察領域に前記第２の画像を提供し、複数の観察者に対してそれぞれ異なる画像を同時に観察可能にした液晶２画面表示装置において、
前記信号処理回路は、
予め求められた入力データ値に基づく横方向に隣接する画素間の階調差に起因する輝度変化量に対応する補正データが格納されたデータテーブルと、
前記第１の画像のデータと第２の画像のデータを合成して２画面データを作成する際に、現在の画素データとその右隣の画素データに基づいて前記データテーブルから補正データを求め、前記補正データに基づいて前記現在の画素データを補正して補正後の現在の画素データを求めるデータ補正操作を全ての画素データに対し行うクロストークデータ補正ブロックと、
を備えていることを特徴とする液晶２画面表示装置。
【請求項２】
前記補正後の現在の画素データを前記現在の画素データと前記補正データとの和として求めることを特徴とする請求項１に記載の液晶２画面表示装置。
【請求項３】
前記現在の画素データが最右端のデータの場合には、前記補正データを０とすることを特徴とする請求項１に記載の液晶２画面表示装置。
【請求項４】
前記データテーブルは（最大階調数／２）×（最大階調数／２）のマトリクスで構成されていることを特徴とする請求項１に記載の液晶２画面表示装置。
【請求項５】
前記最大階調数は６４であることを特徴とする請求項４に記載の液晶２画面表示装置。
【請求項６】
前記現在の画素データ又はその右隣の画素データが前記データテーブルの隣り合うデータ間にある際には補間により補正データを求めるようになされていることを特徴とする請求項４又は５に記載の液晶２画面表示装置。
【請求項７】
前記データテーブルのデータはＥＥＰＲＯＭに格納されており、前記クロストークデータ補正ブロックは電源投入時に前記ＥＥＰＲＯＭからデータを読み込んでルックアップテーブルに展開するようになされていることを特徴とする請求項１に記載の液晶２画面表示装置。
【請求項８】
前記ＥＥＰＲＯＭには必ず補正値が０となる位置のデータを除くデータが格納されていることを特徴とする請求項７に記載の液晶２画面表示装置。
【請求項９】
前記補正データは符号ビットを含む４ビットで構成されており、前記ＥＥＰＲＯＭには１つのアドレスに２つの補正データが格納されることを特徴とする請求項７又は８に記載の液晶２画面表示装置。
【発明の詳細な説明】
【技術分野】
【０００１】
本発明は、液晶２画面表示装置に関し、特に一つの画面に複数の画像を重ねて表示し、第１の観察領域に第１の画像を提供し、第２の観察領域に第２の画像を提供することによって、異なった画像を複数の観察者に対して提供することができる液晶２画面表示装置に関する。
【背景技術】
【０００２】
従来より、液晶表示装置は、テレビ受像機や情報機器等に搭載される表示装置として、広く使用されている。その一方で、近年の情報機器等の多様化に伴い、一つの画面に複数の画像を重ねて表示し、第１の観察領域に第１の画像を提供し、第２の観察領域に第２の画像を提供する液晶２画面表示装置が知られている（下記特許文献１参照）。
【０００３】
以下において、この従来の液晶２画面表示装置について図面を参照して説明する。なお、図８は従来例に係る液晶２画面表示装置の断面図である。図８に示すように、従来例に係る液晶２画面表示装置５０は、第１の画像を表示する第１の画素列５１ａと第２の画像を表示する第２の画素列５１ｂとが交互に配置されてなる液晶表示パネル５２を備えている。ここで、第１及び第２の画素列５１ａ，５１ｂは、例えば液晶表示装置の各画素からなる。また、第１及び第２の画素列５１ａ，５１ｂの各画素間にはブラックマトリクス５３が形成されている。そして、液晶表示パネル５２の上方には、図示しない厚さＧのガラス基板等の透明基板を介して、遮光機能を有した金属もしくは樹脂等からなる遮光板５４が配置されている。この遮光板５４は第１の画素列５１ａ及び第２の画素列５１ｂに対して平行に交互に延びる遮光部５５及び開口部５６を備えている。
【０００４】
次に、上記構成の液晶２画面表示装置５０により２画面表示が実現される仕組みについて説明する。図８に示すように、遮光板５４の表面から距離Ｄだけ離間した液晶表示パネル５２の真正面の位置Ｃから左方向に離れた第１の観察領域Ａには、遮光板５４の開口部５６を通して第１の画素列５１ａから第１の画像が提供される。このとき、第２の画素列５１ｂの第２の画像は、遮光板５４の遮光部５５により遮られるため、第１の観察領域Ａには提供されない。
【０００５】
一方、液晶表示パネル５２の真正面の位置Ｃから右方向に離れた第２の観察領域Ｂには、遮光板５４の開口部５６を通して第２の画素列５１ｂから第２の画像が提供される。このとき、第１の画素列５１ａの第１の画像は、遮光板５４の遮光部５５により遮られるため、第２の観察領域Ｂには提供されない。こうして、第１の観察領域Ａに第１の画像を提供し、第２の観察領域Ｂに第２の画像を提供する２画面表示が行われる。
【特許文献１】特開２００５− ２５８０１６号公報（特許請求の範囲、段落［００２６］〜［００３６］、図１）
【発明の開示】
【発明が解決しようとする課題】
【０００６】
このような液晶２画面表示装置５０は、例えば、自動車内において運転席と助手席との間にこの液晶２画面表示装置５０を配置した場合、運転席と助手席とでは液晶２画面表示装置５０の観察方向が異なるから、運転席の者には例えばカーナビゲーション装置の映像を観察できるようにし、助手席の者にはその他の映像を観察できるようにすることができる。
【０００７】
しかしながら、一般に液晶表示パネル内の隣り合う画素間に大きな電位差がある場合、その電位差の影響によって輝度レベルに変化が現れることが知られている。液晶２画面表示装置においては、２画面表示時にこのような隣り合う画素間に大きな電位差が生じることが多く、２画面表示時に水平方向クロストークとなって表れる。この現象を図９を用いて説明する。なお、図９（ａ）は左側及び右側のそれぞれの入力画像と２画面表示時の画像を示す模式図であり、図９（ｂ）は液晶２画面表示装置の画素毎の輝度レベルを表す図であり、図９（ａ）及び図９（ｂ）においては、第１の観察位置（左側）を三角枠で囲み、第２の観察位置（右側）を四角枠で囲んで表すことによって右側及び左側を区別している。
【０００８】
例えば、図９（ａ）に示すように、左側用の入力画像が中央の黒ボックス画像とその周囲の中間調ベタ画像からなり、右側用の入力画像が全面中間調ベタ画像からなる場合、２画面表示時には、左側の画像は入力画像のとおりに表示されるが、右側にクロストークが発生して左側の黒ボックス画像に対応する位置に輝度の変化した領域が観察される。
【０００９】
このときの各画素の輝度レベルは図９（ｂ）に示したとおりとなる。すなわち、２画面表示時には、左側及び右側の入力画像がともに同じ中間調ベタ領域では各画素の輝度レベルに変化はないが、左側の入力画像が黒ベタ領域となる部分では、左側に対応する画素電極に印加される電圧と隣り合う右側に対応する画素電極に印加される電圧との差が大きくなるため、右側の画素の輝度が図９（ｂ）に矢印で示したように中間ベタ画像に対応する輝度よりも押し上げられ（表示する映像によっては下がる場合もある）、右側の表示領域において左側の黒ベタ領域に似た形状に輝度に変化が生じる。これが２画面表示時の水平クロストークである。
【００１０】
発明者らはこのような液晶２画面表示装置における水平方向クロストークを解消すべく種々検討を重ねた結果、隣り合う画素間の各階調差に起因する輝度の変化量を予め実験的に求めて補正用データテーブルを作成しておき、２画面合成時に現在の画素データとその右隣の画素データから補正用データテーブル上の変化量を求めて現在の画素データを補正し、この操作を全ての画素データに対して適用することによって水平方向クロストークが解消され、表示画質が良好な液晶２画面表示装置が得られることを見出し、本発明を完成するに至ったのである。
【００１１】
すなわち、本発明は、２画面表示時に発生する水平方向クロストークが解消され、表示画質が優れた液晶２画面表示装置を提供することを目的とする。
【課題を解決するための手段】
【００１２】
前記目的を達成するために、本発明の液晶２画面表示装置は、
第１の画像を表示する第１の画素列と第２の画像を表示する第２の画素列とがブラックマトリクスを介して交互に配置されてなる液晶表示パネルと、前記液晶表示パネルの上方に配置され、前記第１の画素列及び第２の画素列に対して平行に交互に延びる遮光部及び開口部を備えた遮光板と、信号処理回路とを備え、第１の観察領域に前記第１の画像を提供し、第２の観察領域に前記第２の画像を提供し、複数の観察者に対してそれぞれ異なる画像を同時に観察可能にした液晶２画面表示装置において、
前記信号処理回路は、
予め求められた入力データ値に基づく横方向に隣接する画素間の階調差に起因する輝度変化量に対応する補正データが格納されたデータテーブルと、
前記第１の画像のデータと第２の画像のデータを合成して２画面データを作成する際に、現在の画素データとその右隣の画素データに基づいて前記データテーブルから補正データを求め、前記補正データに基づいて前記現在の画素データを補正して補正後の現在の画素データを求めるデータ補正操作を全ての画素データに対し行うクロストークデータ補正ブロックと、
を備えていることを特徴とする。
【００１３】
また、本発明は、上記液晶２画面表示装置において、前記補正後の現在の画素データを前記現在の画素データと前記補正データとの和として求めることを特徴とする。
【００１４】
また、本発明は、上記液晶２画面表示装置において、前記現在の画素データが最右端のデータの場合には、前記補正データを０とすることを特徴とする。
【００１５】
また、本発明は、上記液晶２画面表示装置において、前記データテーブルは（最大階調数／２）×（最大階調数／２）のマトリクスで構成されていることを特徴とする。
【００１６】
また、本発明は、上記液晶２画面表示装置において、前記最大階調数は６４であることを特徴とする。
【００１７】
また、本発明は、上記液晶２画面表示装置において、前記現在の画素データ又はその右隣の画素データが前記データテーブルの隣り合うデータ間にある際には補間により補正データを求めるようになされていることを特徴とする。
【００１８】
また、本発明は、上記液晶２画面表示装置において、前記データテーブルのデータはＥＥＰＲＯＭ（Electrically Erasable and Programmable Read Only Memory：電気的に消去可能なプログラマブルＲＯＭ）に格納されており、前記クロストークデータ補正ブロックは電源投入時に前記ＥＥＰＲＯＭからデータを読み込んでルックアップテーブルに展開するようになされていることを特徴とする。
【００１９】
また、本発明は、上記液晶２画面表示装置において、前記ＥＥＰＲＯＭには必ず補正値が０となる位置のデータを除くデータが格納されていることを特徴とする。
【００２０】
また、本発明は、上記液晶２画面表示装置において、前記補正データは符号ビットを含む４ビットで構成されており、前記ＥＥＰＲＯＭには１つのアドレスに２つの補正データが格納されることを特徴とする。
【発明の効果】
【００２１】
本発明は、上記の構成を備えることにより、以下に述べるような優れた効果を奏する。すなわち、本発明の液晶２画面表示装置によれば、第１の画像のデータと第２の画像のデータを合成して２画面データを作成する際に、クロストークデータ補正ブロックにより入力データとその右側のデータとの間の階調差に起因する輝度変化量が補正されているので、左右に隣り合う画素間の階調差が大きくても水平方向クロストークが表れることがなくなり、表示画質が良好な液晶２画面表示装置が得られる。
【００２２】
また、本発明の液晶２画面表示装置によれば、補正後の現在の画素データを現在の画素データと補正データとの和として求めるようにしたため、簡単な演算により高速に補正後の現在の画素データを得ることができ、表示がスムーズで表示画質が良好な液晶２画面表示装置が得られる。
【００２３】
また、本発明の液晶２画面表示装置によれば、現在の画素データが最右端のデータの場合にはその右側に対応する画像データが存在しないために水平方向クロストークが生じないから、補正データを０とすることにより最右端のデータの場合であっても本発明の補正アルゴリズムを変更することなく適切に処理することが可能となる。
【００２４】
また、本発明の液晶２画面表示装置によれば、データテーブルを（最大階調数／２）×（最大階調数／２）のマトリクス、すなわち２階調おきに構成したため、データテーブルのサイズを小さくでき、高速にデータテーブルにアクセスできるようになるため、表示がスムーズで表示画質が良好な液晶２画面表示装置が得られる。この場合、中型ないし小型の液晶表示パネルでは２６＝６４階調表示が多く採用されているため、３２×３２のマトリクスですむ。
【００２５】
また、本発明の液晶２画面表示装置によれば、データテーブルのデータは２階調おきとなっているため、その間の階調のデータは補間によって容易に求めることができる。この際、小数点以下が生じる場合もあるが、小数点以下は切り捨てても表示画質に大きな影響は生じない。また、本発明の液晶２画面表示装置によれば、データテーブルのデータはＥＥＰＲＯＭに格納されているため、液晶２画面表示装置のモデルが異なっても容易にそれに合わせたデータテーブルを用意することができ、しかも、実際の演算はクロストークデータ補正ブロックのルックアップテーブルに展開されたデータに基いて行われるために高速な演算が可能となる。
【００２６】
また、本発明の液晶２画面表示装置によれば、現在の画素データとその右隣の画素データとが等しい場合、及び、現在の画素データが最大値（最大階調値）及び最少値（最少階調値）をとる場合には、補正の必要がない（補正値が０となる）ため、この場合のデータはＥＥＰＲＯＭに記憶しておく必要はないので、その分だけ容量の小さなＥＥＰＲＯＭを使用すればすむようになる。
【００２７】
また、本発明の液晶２画面表示装置によれば、補正データ自体の絶対値は液晶表示パネルの最大階調値と比すると小さいから、左右に隣り合う画素間の階調差が大きくても符号ビットを含む４ビットという小さな補正データで十分に水平方向クロストークが現れないように補正することができ、しかも、通常のＥＥＰＲＯＭは１つのアドレスに８ビットのデータを記憶できるため、ＥＥＰＲＯＭには１つのアドレスに２つの補正データを格納することができる。そのため、容量の小さなＥＥＰＲＯＭを使用すればすむようになる。
【発明を実施するための最良の形態】
【００２８】
以下、図面を参照して本発明の最良の実施形態を説明する。但し、以下に示す実施形態は、本発明の技術思想を具体化するための液晶２画面表示装置を例示するものであって、本発明をこれらに特定することを意図するものではなく、特許請求の範囲に含まれるその他の実施形態のものにも等しく適応し得るものである。また、本発明の液晶２画面表示装置の信号処理回路以外の構成は図８に示した従来例の液晶２画面表示装置と同様であるので、必要に応じて図８を援用して説明することとする。
【実施例１】
【００２９】
まず、実施例の液晶２画面表示装置における信号処理回路１０は、図１に示すように、２画面並べ替えブロック１１と、クロストーク補正ブロック１２と、ＥＥＰＲＯＭ１３と、液晶表示パネル制御ブロック１４とを備えている。このうち、２画面並べ替えブロック１１は、第１の画像を表す信号と第２の画像を表す信号とを合成して相互に出力する回路であり、図８に示した従来例の液晶２画面表示装置５０においても使用されているものであり、同じく液晶表示パネル制御ブロック１４も従来例の液晶表示装置において使用されているものである。なお、この実施例では、２画面並べ替えブロック１１からはＲ、Ｇ及びＢのそれぞれについて６ビットのデータ（IR_C[5:0],IG_C[5:0],IB_C[5:0])計１８ビットのデータを出力するものとして示されており、同じく演算ブロック１８はクロストーク補正ブロック１２からのＲ、Ｇ及びＢのそれぞれについて６ビットのデータ（IR_ES[5:0],IG_ES[5:0],IB_ES[5:0]））計１８ビットのデータを出力し、これを基に液晶表示パネル（図示せず）を駆動するようになっている。
【００３０】
また、クロストーク補正ブロック１２は、前処理ブロック１６と、ルックアップテーブル（ＬＵＴ）及びデータ補完ブロックからなる補正データ送出ブロック１７と、演算ブロック１８とを備えている。このうち、前処理ブロック１６は現在の画素データをそのまま補正データ送出ブロック１７及び演算ブロック１８に送出するとともに、現在の画素データの右側のデータに対応する次の隣接画素データを補正データ送出ブロック１７に送出するようになされている。そして、補正データ送出ブロック１７では、電源スイッチがオンになると同時にＥＥＰＲＯＭ１３に記憶されていた補正データがルックアップテーブルＬＵＴに読み込まれ、現在の画素の階調値データと隣接画素の階調値データから対応する補正データをルックアップテーブルＬＵＴから読み出し、必要に応じてデータ補完ブロックにおいて補正データを補完し、ルックアップテーブルＬＵＴから読み出された補正データあるいは補間された補正データを演算ブロック１８に送出するようになされている。
【００３１】
そして、演算ブロック１８では、前処理ブロック１６から送出された現在の画素データと補正データ送出ブロック１７から送出された補正データとを加算することにより補正後の現在の画素データを得て、この補正後の現在の画素データを液晶表示パネル制御ブロック１４に送出するようになされている。このような現在のデータの補正は全ての画素データに対して順次行われるようになっている。
【００３２】
ここで、図２を用いてルックアップテーブルＬＵＴについて説明する。このルックアップテーブルＬＵＴは、現在の画素データ及び右隣の画素データともに例えば６４階調（０〜６３）で表されるものとして、それぞれのデータについて２階調毎に対応する（６４／２）×（６４／２）＝３２×３２のマトリクスと共に、６４階調のときの最大値である６３の補正データを収納できるようするため、３３×３３のマトリクスにしている。これは、ルックアップテーブルＬＵＴは２階調毎に対応させて３２×３２のマトリクスだけにしておくと最大値が６２となり、６４階調のときの最大値である６３については補正データが存在しないことになるためである。したがってルックアップテーブルＬＵＴを３３×３３のマトリクスにして、３３行列目には６３のときの補正データを格納しておくことで、６３の補正データについて別途回路内で演算する必要もなく、予めルックアップテーブルＬＵＴに用意しておくことで演算の容易化が図れる。特に階調が６３の部分では補正データが最大値或いは最小値となることが多く、これを別途回路内で演算して都度算出するのは難しい。また下記に示す方法で２階調間の間のデータは算出できるが、６３の部分については算出することが容易ではない。したがって予め６３の部分の補正データをルックアップテーブルＬＵＴに用意しておくことは非常に有効である。
【００３３】
そして、それぞれのマトリクスには、現在の画素データと右隣の画素データとから実験的に定められた補正データが例えば４ビットデータとして、例えば下記表１に示したように、ビット３を符号ビットとし、ビット２〜ビット０の３ビットを補正データとし、−７〜０〜＋７までの補正データが格納されている。このように、補正データ符号ビットも含めて４ビットデータとしたのは、補正データは液晶表示パネルの最大階調値と比すると小さいから、左右に隣り合う画素間の階調差が大きくても符号ビットを含めて４ビットという小さな補正データで十分に水平方向クロストークが表れないように補正することができるためである。
【００３４】
【表１】
2008020574.tif 000003
【００３５】
ただし、図２において符号「０」が記入されている箇所は、現在の画素データと右隣の画素データとが同じ値であって水平方向クロストークは生じないために補正が不要な部分と、現在のデータが最小値の「０」又は最大値の「６３」であって右隣の画素データの如何にかかわらず水平クロストークが生じないために補正が不要な部分である。なお、図２においては、上述した水平方向クロストークが生じないために補正が不要な部分以外の補正データは全て省略してあるが、−７〜０〜＋７の何れかの整数値が入る。
【００３６】
そして、ＥＥＰＲＯＭ１３には、図２において記入されている符号「０」の部分を除くデータ、すなわち、（３３×３３−３３×３＋２）×４ビット＝９９２×４ビットのデータが格納されている。この予め実験的に定められ、ＥＥＰＲＯＭ１３に格納されていたデータは、電源スイッチがオンにされるとＥＥＰＲＯＭ１３からランダムアクセスメモリＲＡＭから構成されるルックアップテーブルＬＵＴに読み込まれて、図２に示したように展開される。
【００３７】
次に図３を用いてＥＥＰＲＯＭ１３に格納する補正データについて説明する。図３はＥＥＰＲＯＭ１３のアドレスと１アドレスに格納される補正データの関係を示す図である。この例では上述の９９２×４ビットの補正データは、アドレス００２０ｈ〜１ＦＦ０ｈまでに１つのアドレスに２つの補正データが格納される。すなわち補正データは符号ビットを含めて４ビットであり、ＥＥＰＲＯＭ１３の１アドレスに８ビットのデータを格納できるから、ビット７及びビット３をそれぞれ符号ビットとし、ビット６〜４及びビット２〜０をそれぞれ補正値データとすることにより、ＥＥＰＲＯＭ１３の１アドレスに２つの補正データを格納することができる。
【００３８】
更に、補正データ送出ブロック１７のデータ補完ブロックの動作は次のとおりである。すなわち、ルックアップテーブルＬＵＴに展開されているデータは２階調毎のデータであるから、その間のデータは補間により求めることができる。すなわち、図２のＺ部分の４箇所のデータが、例えば図４に示したようにＡ、Ｂ、Ｃ、Ｄである場合、補正データがＡとＢとの間に該当する場合は（Ａ＋Ｂ）／２として、補正データがＡとＣとの間に該当する場合は（Ａ＋Ｃ）／２として、補正データがＢとＤとの間に該当する場合は（Ｂ＋Ｄ）／２として、補正データがＣとＤとの間に該当する場合は（Ｃ＋Ｄ）／２として、更には、補正データがＡとＤとの間に該当する場合は（Ａ＋Ｂ＋Ｃ＋Ｄ）／４として求めることができる。ルックアップテーブルＬＵＴに全階調毎のデータを展開しておいても構わないが、このような構成を採用すると、ＥＥＰＲＯＭ１３に記憶するデータ量を少なくでき、しかも、ルックアップテーブルＬＵＴのサイズが小さくなるために高速にルックアップテーブルＬＵＴにアクセスでき、また、補間自体は簡単かつ高速に演算できるため、表示がスムーズで表示画質が良好な液晶２画面表示装置が得られる。なお、補間の際、小数点以下が生じる場合もあるが、小数点以下は切り捨てても表示画質に大きな影響は生じない。
【００３９】
次にクロストーク補正ブロック１２全体を通した補正データの算出工程について説明する。液晶２画面表示装置の横方向が８００画素であり、横方向のそれぞれの１サブ画素ずつ左側画像及び右側画像として順番に表示し、左側画像及び右側画像のそれぞれが４００画素ずつからなる画像を表示するものとして説明する。ただし、１画素はＲ、Ｇ、Ｂの３サブ画素からなるものとし、縦方向の画素数は任意である。また、本実施例では液晶表示パネルのデータ書込方向によって、図５及び図６に示すように、右隣となるデータの並びが代わってくるため、補正データの算出方法が異なる。なお、図５は液晶表示パネルのデータの書き込み方向が左から右となる場合のクロストーク補正ブロック１２からの出力データの並びを示す図であり、図６は液晶表示パネルのデータの書き込み方向が右から左となる場合のクロストーク補正ブロック１２からの出力データの並びを示す図であり、この状態は図１のＨＲＥＶ信号によって選択される。そこで、ＲＧＢの順に左方向から右方向へ書き込む場合と、ＲＧＢの順に右方向から左方向へ書き込む場合とに分けて、入力信号及び出力信号のタイミングチャートである図７を用いて説明する。
【００４０】
なお、以下においては、各色及び位置を、例えば「Ｒａ．ｂ」のように、色を表すＲ、Ｇ、Ｂの符号と、液晶表示パネルの何ライン目の信号であるかを示す数値ａと、横方向のその色の何番目の入力又は出力であるかを示す数値ｂとを組み合わせて表示し、補正値については、例えば「ｈ（Ｒａ．ｂ，Ｇａ．ｂ）」のように、ａライン目のｂ番目の赤Ｒの入力信号とその右のａライン目のｂ番目の緑Ｇの入力信号とに基づいてルックアップテーブルＬＵＴから得られた補正値を表すものとして表示する。この場合、本発明においては縦方向クロストークについては考慮する必要はないので、同一ラインでは、全てのａの値は等しいが、ｂの値は同じ場合と異なる場合とがある。
【００４１】
［左方向から右方向へ書き込む場合］
液晶表示パネルへＲＧＢの順に左方向から右方向へ書き込む場合は、例えばＨＲＥＶ＝Ｌとすることにより選択される。図７（ａ）及び下記表２に示したとおり、２画面並べ替えブロック１１からクロストーク補正ブロック１２に入力される信号は、データイネーブル信号ＤＥ＿Ｃ及びクロック信号ＤＣＬＫ＿Ｃとともに、１ライン目の信号はＲ、Ｇ、Ｂ毎に６ビットずつ横方向に並列に入力される。
【００４２】
【表２】
2008020574.tif 000004
【００４３】
このＩＲ＿Ｃ［５：０］、ＩＧ＿Ｃ［５：０］及びＩＢ＿Ｃ［５：０］のそれぞれ６ビットの信号は、前処理ブロック１６で並べ替えられて、下記表３に示した矢印方向にかつ入力１〜入力８００の順に直列に現在の画素データとして補正データ送出ブロック１７及び演算ブロック１８に入力される。
【００４４】
【表３】
2008020574.tif 000005
【００４５】
そして、補正データ送出ブロック１７においては、表３に示された入力信号の順番に、ルックアップテーブルＬＵＴに展開された補正データに基いて順次補正データが選択される。すなわち、最初の現在の入力信号がＲ１．１である場合、その右側の信号はＧ１．１であるから、Ｒ１．１とＧ１．１とが比較され、両者の階調値に基づいてルックアップテーブルＬＵＴのデータが選択されてその値が４ビットの補正データｈ（Ｒ１．１、Ｇ１．１）として演算ブロック１８に送出される。このようにして順次補正値がルックアップテーブルＬＵＴより選択される。この場合の１ライン目の補正データ列を表４に示す。なお、最も右側のデータであるＢ１．８００に対応する右側のデータはないので、Ｂ１．８００に対応する補正データは「０」となる。このようにして１ラインの全てのデータについて同様の処理が行われる。
【００４６】
【表４】
2008020574.tif 000006
【００４７】
そして、表４に示された４ビットの補正データは直列に演算ブロック１８に入力され、同じく演算ブロック１８に直列に入力されている表２に示した現在の画素データとの和が演算され、得られた補正後の現在の画素データはＲ、Ｇ、Ｂ毎に６ビットずつに並べ替えられて以下の表５及び図７（ｂ）に示すようなＩＲ＿ＥＳ［５：０］、ＩＧ＿ＥＳ［５：０］、ＩＢ＿ＥＳ［５：０］で示されるデータとして液晶表示パネル制御ブロック１４に並列に入力されるようになっている。
【００４８】
【表５】
2008020574.tif 000007
【００４９】
このようにして、得られた補正後の現在の画素データＩＲ＿ＥＳ［５：０］、ＩＧ＿ＥＳ［５：０］、ＩＢ＿ＥＳ［５：０］によって１ライン目の補正されたデータが液晶表示パネルの液晶表示パネル制御ブロック１４へ送られる。そして、２ライン目、３ライン目・・・の全てについて上述のような１ライン目の場合と同様の処理が行われ、液晶表示パネルへの書き込みが行われて水平クロストークが低減された２画面表示がなされる。なお、ここで、補正後の現在の画素データをＩＲ＿ＥＳ［５：０］、ＩＧ＿ＥＳ［５：０］、ＩＢ＿ＥＳ［５：０］の６ビット×３＝１８ビットデータとしたのは、従来から普通に使用されている液晶表示パネル制御ブロック１４で直接処理できるようにするためである。
【００５０】
［右方向から左方向へ書き込む場合］
液晶表示パネルへＲＧＢの順に右方向から左方向へ書き込む場合は、ＨＲＥＶ＝Ｈとすることにより選択される。この場合においても、２画面並べ替えブロック１１からクロストーク補正ブロック１２に入力される信号ＩＲ＿Ｃ［５：０］、ＩＧ＿Ｃ［５：０］及びＩＢ＿Ｃ［５：０］は、図７（ａ）及び上記表２に示したとおりであるが、このＩＲ＿Ｃ［５：０］、ＩＧ＿Ｃ［５：０］及びＩＢ＿Ｃ［５：０］のそれぞれ６ビットの信号は、前処理ブロック１６で並べ替えられて、下記表６に示した矢印方向にかつ入力１〜入力８００の順に直列に現在の画素データとして補正データ送出ブロック１７及び演算ブロック１８に入力される。
【００５１】
【表６】
2008020574.tif 000008
【００５２】
そして、補正データ送出ブロック１７においては、表６に示された入力信号の順番に、ルックアップテーブルＬＵＴに展開された補正データに基いて順次補正データが選択される。すなわち、最初の現在の入力信号がＢ１．１である場合、その右側に対応するデータはないので、Ｂ１．１に対する補正データは「０」である。また、次の入力信号はＧ１．１であるから、Ｇ１．１とその右側のＢ１．１とが比較され、両者の階調値に基づいてルックアップテーブルＬＵＴのデータが選択されてその値が４ビットの補正データｈ（Ｇ１．１、Ｂ１．１）として演算ブロック１８に送出される。このようにして順次補正値がルックアップテーブルＬＵＴより選択される。この場合の１ライン目の補正データ列を表７に示す。
【００５３】
【表７】
2008020574.tif 000009
【００５４】
そして、表７に示した４ビットの補正データは直列に演算ブロック１８に入力され、同じく演算ブロック１８に直列に入力されている表６に示した現在の画素データとの和が演算され、得られた補正後の現在の画素データはＲ、Ｇ、Ｂ毎に６ビットずつ並べ替えられて以下の表８に示すようなＩＲ＿ＥＳ［５：０］、ＩＧ＿ＥＳ［５：０］、ＩＢ＿ＥＳ［５：０］として液晶表示パネル制御ブロック１４に入力されるようになっている。
【００５５】
【表８】
2008020574.tif 000010
【００５６】
このようにして、得られた補正後の現在の画素データＩＲ＿ＥＳ［５：０］、ＩＧ＿ＥＳ［５：０］、ＩＢ＿ＥＳ［５：０］によって液晶表示パネルへの書き込みが行われることにより、水平クロストークが低減された２画面表示がなされる。
【図面の簡単な説明】
【００５７】
【図１】実施例の液晶２画面表示装置における処理回路のブロック図である。
【図２】ルックアップテーブルＬＵＴのデータ配置を示す概略図である。
【図３】ＥＥＰＲＯＭのアドレスと１アドレスに格納される補正データの関係を示す図である。
【図４】データ補完ブロックにおけるデータ補完方法を説明するための図である。
【図５】液晶表示パネルのデータの書き込み方向が左から右となる場合のクロストーク補正ブロックからの出力データの並びを示す図である。
【図６】液晶表示パネルのデータの書き込み方向が右から左となる場合のクロストーク補正ブロックからの出力データの並びを示す図である。
【図７】入力信号及び出力信号のタイミングチャートである。
【図８】従来例に係る液晶２画面表示装置の断面図である。
【図９】図９（ａ）は左側及び右側のそれぞれの入力画像と２画面表示時の画像を示す模式図であり、図９（ｂ）は液晶２画面表示装置の画素毎の輝度レベルを表す図である。
【符号の説明】
【００５８】
１０    信号処理回路
１１    ２画面並べ替えブロック
１２    クロストーク補正ブロック
１３    ＥＥＰＲＯＭ
１４    液晶表示パネル制御ブロック
１６    前処理ブロック
１７    補正データ送出ブロック
１８    演算ブロック
【図１】
2008020574.tif 000011
【図２】
2008020574.tif 000012
【図３】
2008020574.tif 000013
【図４】
2008020574.tif 000014
【図５】
2008020574.tif 000015
【図６】
2008020574.tif 000016
【図７】
2008020574.tif 000017
【図８】
2008020574.tif 000018
【図９】
2008020574.tif 000019